(57)【要約】【課題】損傷を受けたコンクリートポールを特殊な技術や材料を必要とすることなく短時間で補修することができ、ローコストで復旧させることを課題とする。【解決手段】コンクリートポール１に外嵌し得る少くとも一対の分割バンド３Ａ、３Ａで構成される補強バンド３を備え、各分割バンドの下端には外方へ突出しボルト挿通孔７が穿設された座板４を有し、各分割バンドの接合縁はネジ１２により綴じ合わせるよう構成し、前記分割バンドをポールの損傷部分を包含するよう外嵌してポールの基礎２に植立するアンカーボルト６を座板のボルト挿通孔に挿通してナット１３で締結するとともに分割バンド相互をネジ１２により綴着し、ポールと補強バンドとの間に形成される空間内に砂１４と水を充填して水締めするようにしたことにある。【選択図】図１
2010133183.tif 000002
【特許請求の範囲】
【請求項１】
コンクリートポールに外嵌し得る少くとも一対の分割バンドで構成される補強バンドを備え、各分割バンドの下端には外方へ突出しボルト挿通孔が穿設された座板を有し、各分割バンドの接合縁はネジにより綴じ合わせるよう構成されており、前記分割バンドをコンクリートポールの損傷部分を包含するよう外嵌してコンクリートポールの基礎に植立するアンカーボルトを前記座板のボルト挿通孔に挿通してナットで締結するとともに分割バンド相互をネジにより綴着し、前記コンクリートポールと補強バンドとの間に形成される空間内に砂と水を充填して水締めしたことを特徴とするコンクリートポールの応急補修構造。
【請求項２】
前記座板と分割バンドの外側面とを結合するリブを備えている請求項１記載のコンクリートポールの応急補修構造。
【請求項３】
前記分割バンドの上端および下端にコンクリートポールの外周面に当接して求心するフランジが突設され、上端のフランジ部分には砂および水を充填し得る開口を有している請求項１または２記載のコンクリートポールの応急補修構造。
【請求項４】
前記分割バンドの側部の接合縁は少くとも内側に位置する接合縁のネジ止め部が凹陥されており、この凹陥部にネジを位置させてその頭部が補強バンドの外周面から大きく突出しないように構成されている請求項１〜３のいずれか１項記載のコンクリートポールの応急補修構造。
【請求項５】
前記凹陥部は、分割バンドの接合縁の長手方向に連続して形成されている請求項４記載のコンクリートポールの応急補修構造。
【請求項６】
前記凹陥部は、ネジの頭部が位置する部位に各別に形成されている請求項４記載のコンクリートポールの応急補修構造。
【請求項７】
前記補強バンドは一対の分割バンドで構成され、その一側縁を蝶番により開閉自在に枢着されている請求項１〜３のいずれか１項記載のコンクリートポールの応急補修構造。
【発明の詳細な説明】
【技術分野】
【０００１】
本発明は、ひび割れ、欠損、折損等の損傷を生じたコンクリートポールを応急的に補修するための応急補修構造に関する。
【背景技術】
【０００２】
鉄道や道路などにおいて使用される各種コンクリートポールは、地震や台風等の自然災害、交通事故、除雪作業などにより倒壊や破損などの損傷を受けることがある。
【０００３】
このようにコンクリートポールが損壊した場合、後々新規のポールに立て替えることになるが、新規のポールを立て替えるには多大な費用と時間、労力を必要とするばかりでなく、場合によってはそのポールが担っている機能を代替するためのポールを仮設しなければならず、一層コスト高になるという問題がある。
【０００４】
前記ポストの損傷箇所が地表から離間した中間位置であれば特許文献１に見られるような補強手段を用いることができるが、上記特許文献１に開示の技術は、ポールの外周に巻き付ける構造であるから、ポールの表面が傷付いた程度の損傷であれば差支えはないとしてもポールの強度に関わるような損傷を受けている場合には十分に対処することが難しい。
【０００５】
またカバーの綴じ合わせ部を固定するネジの頭部が外周に突出しているので、通行人や車両等が接触すると怪我や痕を付けるおそれがあり、またポールに付帯設備を付設する際に障害になるなどの問題点があって使用対象の凡用性に欠ける難点がある。
【特許文献１】特開２００２−１５２９９５号公報
【発明の開示】
【発明が解決しようとする課題】
【０００６】
本発明は、損傷を受けたコンクリートポールを特殊な技術や材料を必要とすることなく迅速に補修することができ、ローコスト、短時間でコンクリートポールの仮復旧を行えるようにすることを課題としている。
【課題を解決するための手段】
【０００７】
上記課題を解決する手段として本発明は、コンクリートポールに外嵌し得る少くとも一対の分割バンドで構成される補強バンドを備え、各分割バンドの下端には外方へ突出しボルト挿通孔が穿設された座板を有し、各分割バンドの接合縁はネジにより綴じ合わせるよう構成し、前記分割バンドをコンクリートポールの損傷箇所を包含するよう外嵌してコンクリートポールの基礎に植立したアンカーボルトを前記座板のボルト挿通孔に挿通してナットで締結するとともに、分割バンド相互をネジにより締着し、前記コンクリートポールと補強バンドとの間に形成される空間内に砂と水とを充填して水締めするようにしたことにある。
【０００８】
前記座板と分割バンドの外側面とをリブにより結合することが強度を増すうえで好ましい。
【０００９】
また前記分割バンドの上端および下端にコンクリートポールの外周面に当接して求心するフランジを突設し、上端のフランジ部分に砂および水を充填し得る開口を設けることができる。
【００１０】
さらに前記分割バンドの側部の接合縁は少くとも内側に位置する接合縁のネジ止め部が凹陥されており、この凹陥部にネジを位置させてその頭部が補強バンドの外周面から大きく突出しないようにすることが望ましい。
【発明の効果】
【００１１】
本発明によれば、損傷を受けたコンクリートポール自体の基礎を利用し、ポールの外周面に分割バンドを添わせて分割バンド相互をネジで締結するとともに下端の座板を前記基礎に植設したアンカーボルトとナットとで締結することで一体的に固定するようにしたので、損傷したポールを撤去せずとも応急的に補修することができ、また補強バンドとポールとの間の空間に砂を水締めした状態に充填する構成としたので、特別な充填材を用いる必要がなく、安価に得ることができ、これらによりポールをローコストでかつ迅速に補修することができる効果を奏する。
【００１２】
一方、分割バンドの接合縁を綴じるためのネジの頭部が位置する部位を凹陥させることにより補強バンドの外周面からネジの頭部が突出せず、通行人や車両等が接触してもこれらを傷付けることが防がれる。
【００１３】
またポールに付帯機器や付属部材を取り付けるとき補強バンドを利用してこれらを強固に取り付けることができる利点も生まれる。
【発明を実施するための最良の形態】
【００１４】
図１〜図３は本発明によるコンクリートポールの応急補修構造の一実施形態をコンクリートポール１の損傷箇所１ａを包含するよう装着した状態として示し、図２は同断面図として示している。
【００１５】
コンクリートポール１（以下単にポールという）は一般に中空筒状のもので、その下端は地中に構築されるコンクリート製の基礎２と一体化して立設されている。
【００１６】
本発明の応急補修構造における補強バンド３は、図示の実施形態では円筒を２つ割りした形態の一対の分割バンド３Ａ、３Ａで構成され、この分割バンド３Ａ、３Ａは鋼板等の強靱な材料により構成されている。
【００１７】
上記分割バンド３Ａ、３Ａの下端外周には図４に拡大示するように座板４が外方へ向け水平方向に突設されており、この座板４と分割バンド３Ａの外側面との間に補強用リブ５が所要数箇所に溶接により一体に設けられている。
【００１８】
上記座板４には、ポール１の基礎２に固定するため該基礎２に植立されるアンカーボルト６の挿通孔７が穿設されている。
【００１９】
前記分割バンド３Ａ、３Ａの上端および下端の内周面にはフランジ８、９が突設され、その内周縁はポール１の外周面に可及的密に当接するよう半円形状に形成されており、これらフランジ８、９がポール１に当接したとき分割バンド３とポール１との間に一定間隔の空間１０が形成されるようになっている。
【００２０】
前記上端のフランジ８には、図４に示すように砂、水を注入するための開口１１が形成されている。
【００２１】
前記分割バンド３Ａ、３Ａの接合縁はネジ１２、１２・・・によって締着されるもので、図５に例示するように少くとも一方の分割バンド３Ａの接合縁をプレス加工により凹陥させ、この凹陥部３ａ内にネジ１２の頭部１２ａを位置させてその頭部１２ａが分割バンド３Ａ、３Ａの外周面より大きく突出しないようになされている。
【００２２】
この凹陥部３ａは、分割バンド３Ａ、３Ａの長手方向に連続（図６（Ａ）示）またはネジ締め部分のみ（図６（Ｂ）示）に形成することができる。
【００２３】
前記補強バンド３をポール１の基部に施工して応急的に補修するには、図１、図２に示すようにポール１の損傷箇所１ａのある部位を包含するように分割バンド３Ａ、３Ａを外嵌し、その下端の座板４のボルト挿通孔７、７・・・をポール１の基礎２に植設したアンカーボルト６、６・・・に通し、ナット１３、１３・・・で締結するとともに、分割バンド３Ａ、３Ａの接合縁を重ね、ネジ１２、１２・・・により締着する。
【００２４】
このとき各分割バンド３Ａ、３Ａのフランジ８、９がポール１の外周面に当接することで補強バンド３とポール１との間に空間１０が形成され、この空間１０に上端のフランジ８の開口１１から砂１４を充填し、水を加えて水締めされる。
【００２５】
したがって損傷を受けたポール１に補強バンド３を外嵌してアンカーボルト６、６・・・とナット１３、１３・・・とで締着するとともに補強バンド３を構成する分割バンド３Ａ、３Ａをネジ１２、１２・・・で締結し、この補強バンド３とポール１との間に砂を水締めの状態に充填することにより損傷したポール１を迅速に補修することができる。
【００２６】
図７（Ａ）〜（Ｃ）は、補強バンド３による補修が完了したあと、必要な機器や機材の支持体として利用する場合の形態を示しており、（Ａ）は架線用支柱１５の支持体として、（Ｂ）は交通用反射板１６の兼用として、さらに（Ｃ）は電線管１７の支持体として利用する形態例を示している。
【００２７】
図７（Ａ）の場合は、上下２本のバンド１８、１８を補強バンド３に巻回してボルト締めし、これらバンド１８、１８に取り付けた架台１９およびこれを支えるアーム２０により架線用支柱１５を支持させた構造である。
【００２８】
図７（Ｂ）の場合は、薄板に光が反射する反射塗料の塗布、または光を反射する光輝性のある金属板などで構成される反射板１６を補強バンド３の適当な高さ位置に巻装した構成である。
【００２９】
図７（Ｃ）の場合は、補強バンド３の一側に電線を通す電線管１７を添わせ、この電線管１７を上下２本のバンド２１、２１により補強バンド３に固定するようにした構成である。
【００３０】
このようにポール１の補修に供した補強バンド３を他の目的のために用いることができ、ポール１の補強に留らず用途の拡大を図ることができ、有効利用上極めて有益な構造とすることができる。
【図面の簡単な説明】
【００３１】
【図１】本発明によるコンクリートポールの補修構造の一実施形態を示す正面図。
【図２】同、断面図。
【図３】図１のＡ−Ａ断面図。
【図４】図１における分割バンドの一部切欠断面図。
【図５】分割バンドの接合縁部分を示す図３の一部の拡大図。
【図６】（Ａ）、（Ｂ）は図５のＢ−Ｂ相当の２列を示す拡大断面図。
【図７】（Ａ）〜（Ｃ）は本発明の応用例を示す説明図。
【符号の説明】
【００３２】
１  コンクリートポール
２  コンクリートポールの基礎
３  補強バンド
３Ａ  分割バンド
４  座板
５  補強用リブ
６  アンカーボルト
７  ボルト挿通孔
８、９  フランジ
１０  空間
１１  開口
１２  ネジ
１３  ナット
１４  砂
１５  架線用支柱
１６  反射板
１７  電線管
【図１】
2010133183.tif 000003
【図２】
2010133183.tif 000004
【図３】
2010133183.tif 000005
【図４】
2010133183.tif 000006
【図５】
2010133183.tif 000007
【図６】
2010133183.tif 000008
【図７】
2010133183.tif 000009